(57)【特許請求の範囲】
【請求項１】
複数のＬＥＤから出射された光を導光させつつ当該光によって発光する長尺な導光レンズであって、
互いに連なる棒状の第一延在部及び第二延在部と、前記第一延在部から張り出した鍔部とを備え、
前記鍔部は、前記複数のＬＥＤに対応するとともに当該複数のＬＥＤからの光を当該鍔部内に入射させる複数の入光部を有し、
前記複数の入光部は、
前記第一延在部の延在方向と鋭角に交差する交差方向の位置が互いに異なるように並設され、
それぞれ対応するＬＥＤからの光を、前記交差方向と直交する方向であって前記第二延在部側を向きつつ前記第一延在部の延在方向と鋭角に交差する導光方向に沿って、前記第一延在部に向けて前記鍔部内を導光させ、
前記第一延在部は、前記複数の入光部から入射して前記鍔部内を導光してきた光を前記第二延在部に向けて前記延在方向へ内部反射させる複数の反射面を有することを特徴とする導光レンズ。
【請求項２】
前記複数の入光部は、それぞれ対応するＬＥＤからの光を平行光制御して、前記導光方向に沿って前記鍔部内を導光させることを特徴とする請求項１に記載の導光レンズ。
【請求項３】
前記複数のＬＥＤと、
請求項１または２に記載の導光レンズと、
を備えることを特徴とする車両用灯具。
【請求項４】
前記複数のＬＥＤが、互いに同一の方向に向けられるとともに、平板状の単一のＬＥＤ基板上に実装されていることを特徴とする請求項３に記載の車両用灯具。
【発明の詳細な説明】
【技術分野】
【０００１】
本発明は、長尺な略棒状の導光レンズ、及び当該導光レンズを備える車両用灯具に関する。
【背景技術】
【０００２】
従来、車両に搭載される車両用灯具として、長尺な棒状の導光レンズ（いわゆる導光棒）を発光させるものが知られている。この種の車両用灯具では、一般に、導光レンズの長手方向の端面にＬＥＤ（発光ダイオード）などの光源を対向させ、この端面から導光レンズ内に入射した光によって当該導光レンズを発光させる。
【０００３】
しかし、この種の車両用灯具においては、導光レンズの入光面が基本的に両側の端面に限定されるため、単純に導光レンズをより明るく発光させようとした場合には、高出力ＬＥＤへの置き換えやそのためのヒートシンクの増設などが必要となり、高コスト化を招いてしまう。
【０００４】
そこで、特許文献１に記載の車両用灯具では、導光レンズの途中部分から分岐して延在する延在部を設け、この延在部の端面に追加の光源を対向させている。これにより、高出力ＬＥＤなどを用いる必要なく光量を増加させて、導光レンズをより明るく発光させることが可能となっている。
【先行技術文献】
【特許文献】
【０００５】
【特許文献１】特開２０１３−２２２５４０号公報
【発明の概要】
【発明が解決しようとする課題】
【０００６】
しかしながら、上記特許文献１に記載の車両用灯具では、増設した光源からの光によって導光レンズの延在部が点光りしてしまうため、点灯フィーリングを悪化させてしまう。
【０００７】
本発明は、上記課題を解決するためになされたもので、点灯フィーリングの悪化や高コスト化を招来することなく、より明るく発光することができる導光レンズ及びこれを備える車両用灯具の提供を目的とする。
【課題を解決するための手段】
【０００８】
上記目的を達成するために、請求項１に記載の発明は、複数のＬＥＤから出射された光を導光させつつ当該光によって発光する長尺な導光レンズであって、
互いに連なる棒状の第一延在部及び第二延在部と、前記第一延在部から張り出した鍔部とを備え、
前記鍔部は、前記複数のＬＥＤに対応するとともに当該複数のＬＥＤからの光を当該鍔部内に入射させる複数の入光部を有し、
前記複数の入光部は、
前記第一延在部の延在方向と鋭角に交差する交差方向の位置が互いに異なるように並設され、
それぞれ対応するＬＥＤからの光を、前記交差方向と直交する方向であって前記第二延在部側を向きつつ前記第一延在部の延在方向と鋭角に交差する導光方向に沿って、前記第一延在部に向けて前記鍔部内を導光させ、
前記第一延在部は、前記複数の入光部から入射して前記鍔部内を導光してきた光を前記第二延在部に向けて前記延在方向へ内部反射させる複数の反射面を有することを特徴とする。
【０００９】
請求項２に記載の発明は、請求項１に記載の導光レンズにおいて、
前記複数の入光部は、それぞれ対応するＬＥＤからの光を平行光制御して、前記導光方向に沿って前記鍔部内を導光させることを特徴とする。
【００１０】
請求項３に記載の発明は、車両用灯具であって、
前記複数のＬＥＤと、
請求項１または２に記載の導光レンズと、
を備えることを特徴とする。
【００１１】
請求項４に記載の発明は、請求項３に記載の車両用灯具において、
前記複数のＬＥＤが、互いに同一の方向に向けられるとともに、平板状の単一のＬＥＤ基板上に実装されていることを特徴とする。
【発明の効果】
【００１２】
本発明によれば、複数のＬＥＤから出射された光が、導光レンズの鍔部のうち、第一延在部の延在方向と鋭角に交差する交差方向の位置が互いに異なるように並設された複数の入光部から当該鍔部内に入射する。このとき、複数の入光部は、それぞれ対応するＬＥＤからの光を、交差方向と直交する方向であって第二延在部側を向きつつ第一延在部の延在方向と鋭角に交差する導光方向に沿って、第一延在部に向ける。そしてこの光は、第一延在部に向かって鍔部内を導光した後、第一延在部の複数の反射面によって延在方向へ内部反射されて第二延在部に向かい、当該第二延在部を発光させる。
これにより、導光レンズの途中部分に延在部を設ける必要も、特に高出力の光源を用いる必要もなく、導光レンズに入射する光量を増やすことができる。
したがって、点灯フィーリングの悪化や高コスト化を招来することなく、当該導光レンズをより明るく発光させることができる。
【図面の簡単な説明】
【００１３】
【図１】実施形態における車両用灯具の要部の正面図である。
【図２】実施形態における車両用灯具の要部の背面図である。
【図３】図１のIII−III線での車両用灯具の断面図である。
【図４】図３のIV矢視での車両用灯具の矢視図である。
【発明を実施するための形態】
【００１４】
以下、本発明の実施形態について、図面を参照して説明する。
【００１５】
図１及び図２は、本実施形態における車両用灯具１の要部の正面図及び背面図であり、図３は、図１のIII−III線での車両用灯具１の断面図であり、図４は、図３のIV矢視での車両用灯具１の矢視図である。
なお、図２及び図４では、後述する複数のＬＥＤ３，…やＬＥＤ基板３１の図示を省略している。また、以下の説明において、「前」「後」「左」「右」「上」「下」との記載は、特に断りのない限り、車両用灯具１から見た方向を意味するものとする。
【００１６】
図１及び図２に示すように、車両用灯具１は、図示しない車両に搭載されるフロントターンランプであり、導光レンズ２を備えている。
【００１７】
導光レンズ２は、長尺な略棒状に形成された導光棒であり、後述する複数のＬＥＤ３，…（図３参照）から出射された光を導光させつつ当該光によって発光するものである。
具体的に、導光レンズ２は、上端から前方斜め下方へ延在する棒状の第一延在部２１と、この第一延在部２１の下端に滑らかに連なる棒状の第二延在部２２とを備えて構成されている。
【００１８】
このうち、第一延在部２１には、上端部から第二延在部２２への屈曲部に掛けて右方へ張り出した平板状の鍔部２１０が設けられている。
鍔部２１０の上端部は、第一延在部２１から右側（より詳しくは、後述の交差方向Ｘ）へ離間するに連れて段階的に下側に位置する階段状に形成されており、当該階段状部分には、複数（本実施形態では４つ）の入光部２１１，…が第一延在部２１の延在方向Ｅに略沿って並設されている。但し、複数の入光部２１１，…は、第一延在部２１の延在方向Ｅと第二延在部２２側で鋭角に交差する交差方向Ｘの位置が互いに異なるように並設されていればよく、延在方向Ｅに略沿っていなくともよい。
【００１９】
これら複数の入光部２１１，…は、図３及び図４に示すように、車両用灯具１の光源である複数のＬＥＤ３，…（図３に１つのみ図示）に対応して設けられており、当該複数のＬＥＤ３，…から出射された光を導光レンズ２（鍔部２１０）内に入射させる。
複数のＬＥＤ３，…は、各光軸Ａｘを第一延在部２１の延在方向Ｅと直交させるように前方斜め上方に向けた状態で、平板状の単一のＬＥＤ基板３１の前面に実装されている。
【００２０】
具体的に、各入光部２１１では、その後部が、対応するＬＥＤ３と対向するとともに、当該ＬＥＤ３の光軸Ａｘを回転対称軸として後側へ突出する軸対称の略裁頭円錐状に形成されており、その後端に、後側へ開口する凹部２１１ａが設けられている。
凹部２１１ａの底部には、後方へ膨出する凸面状（非球面）の第一入射面２１２が、ＬＥＤ３と対向する位置に設けられている。この第一入射面２１２は、その焦点付近にＬＥＤ３が位置するように設けられており、ＬＥＤ３から出射されて当該第一入射面２１２に入射した光を、光軸Ａｘに略沿った平行光としつつ入光部２１１内に入射させる。
凹部２１１ａの内周面は、第二入射面２１３となっている。この第二入射面２１３は、ＬＥＤ３の前側周囲を覆うように第一入射面２１２の周縁部から後側へ立設された略裁頭円錐面であり、ＬＥＤ３から出射された光のうち第一入射面２１２よりも側方へ向かうものを入光部２１１内に入射させる。
各入光部２１１の後部の外周面は、入光部反射面２１４となっている。この入光部反射面２１４は、第二入射面２１３の先端（後端）から前側へ向かって外側へ広がるように傾斜した略裁頭円錐面であり、第二入射面２１３から入光部２１１内に入射した光を、光軸Ａｘに略沿うように内部反射させて前方への平行光とする。
【００２１】
各入光部２１１のうち、第一入射面２１２，第二入射面２１３及び入光部反射面２１４の光軸Ａｘ上前方に位置する前側部分は、第一反射面２１５となっている。第一反射面２１５は、光軸Ａｘに対して略４５°の角度で導光方向Ｙへ傾斜した平面である。ここで、導光方向Ｙとは、鍔部２１０に平行で交差方向Ｘと直交する方向であって、第二延在部２２側（下側）を向きつつ第一延在部２１の延在方向Ｅと鋭角に交差する方向である。
この第一反射面２１５は、対応するＬＥＤ３から出射されて、光軸Ａｘに沿った平行光とされつつ入光部２１１内に入射した光を、導光方向Ｙに沿って第一延在部２１に向けて内部反射（全反射）させる。
【００２２】
第一延在部２１の後面には、複数の第二反射面２１６，…が設けられている。これら複数の第二反射面２１６，…は、鍔部２１０に略平行な面と延在方向Ｅへ交互に連なりつつ、延在方向Ｅに略沿って並設されている。また、複数の第二反射面２１６，…は、下側に向かうに連れて次第に幅が狭くなるように形成されている。
これら複数の第二反射面２１６，…は、複数の入光部２１１，…の第一反射面２１５で内部反射されて鍔部２１０内を導光してきた光を、第二延在部２２に向けて延在方向Ｅへ内部反射（全反射）させる。
【００２３】
第二延在部２２は、第一延在部２１から導光してきた光によって発光する導光レンズ２の主たる発光部であり、第一延在部２１の下端から滑らかに屈曲してやや下がりつつ右方斜め前方へ延在している。この第二延在部２２の後面には、第一延在部２１の複数の第二反射面２１６，…と連なりつつ、より細かい間隔で形成された複数のレンズカット２２１，…が設けられている。
この第二延在部２２は、第一延在部２１から導光してきた光を、複数のレンズカット２２１，…により当該第二延在部２２の長手方向に沿って導光させつつ前方へ内部反射させる。そして、この光が第二延在部２２から前方へ照射されることにより、当該第二延在部２２が前方向きに発光する。
【００２４】
以上のように、本実施形態の車両用灯具１によれば、複数のＬＥＤ３，…から出射された光が、導光レンズ２の鍔部２１０のうち、第一延在部２１の延在方向Ｅと鋭角に交差する交差方向Ｘの位置が互いに異なるように並設された複数の入光部２１１，…から当該鍔部２１０内に入射する。このとき、複数の入光部２１１，…は、それぞれ対応するＬＥＤ３からの光を、交差方向Ｘと直交する方向であって第二延在部２２側を向きつつ第一延在部２１の延在方向Ｅと鋭角に交差する導光方向Ｙに沿って、第一延在部２１に向ける。そしてこの光は、第一延在部２１に向かって鍔部２１０内を導光した後、第一延在部２１の複数の第二反射面２１６，…によって内部反射されて第二延在部２２に向かい、当該第二延在部２２を発光させる。
これにより、導光レンズ２の途中部分に延在部を設ける必要も、特に高出力の光源を用いる必要もなく、導光レンズ２に入射する光量を増やすことができる。
したがって、点灯フィーリングの悪化や高コスト化を招来することなく、当該導光レンズ２をより明るく発光させることができる。
【００２５】
また、複数の入光部２１１，…が、それぞれ対応するＬＥＤ３からの光を平行光制御して、導光方向Ｙに沿って鍔部２１０内を導光させるので、各ＬＥＤ３からの光を効率的に配光制御して光束利用率を向上させることができる。
【００２６】
また、複数のＬＥＤ３，…が互いに同一の方向に向けられて平板状の単一のＬＥＤ基板３１上に実装されているので、当該複数のＬＥＤ３，…を個別の基板に実装させたりフレキシブル基板に実装させたりする場合に比べ、低コスト化を図ることができる。
【００２７】
なお、本発明を適用可能な実施形態は、上述した実施形態その変形例に限定されることなく、本発明の趣旨を逸脱しない範囲で適宜変更可能である。
【００２８】
例えば、上記実施形態では、車両用灯具１がフロントターンランプであることとしたが、本発明に係る導光レンズ及び車両用灯具は、フロントターンランプ以外の車両用灯具にも広く適用可能である。
【符号の説明】
【００２９】
１          車両用灯具
２          導光レンズ
２１      第一延在部
２１６  第二反射面（反射面）
Ｅ      延在方向
２１０    鍔部
２１１  入光部
２１２  第一入射面
２１３  第二入射面
２１４  入光部反射面
２１５  第一反射面
Ｘ      交差方向
Ｙ      導光方向
２２      第二延在部
２２１  レンズカット
３          ＬＥＤ
Ａｘ      光軸
３１      ＬＥＤ基板
【図１】
0006411950.tif 000002
【図２】
0006411950.tif 000003
【図３】
0006411950.tif 000004
【図４】
0006411950.tif 000005